(57)【特許請求の範囲】
【請求項１】
自然温度蓄積体を利用して設備装置に温度均衡を行うシステムに関するものであり、安定する温度蓄積容量が大きい固体又は液体を有する自然温度蓄積体に、流体が流れるための均熱装置及び流体伝送パイプを設け、流体が設備装置に流れることで、設備装置に温度均衡を行ってから、流体があらためて自然温度蓄積体に設けられる均熱装置に回流して来たとき、自然温度蓄積体との間に熱伝導を良くする均熱装置により、回流してきた流体に温度均衡機能が生じるものであり、システムは単方向流動の流体を利用して、直接に温度均衡を行うシステムで構成され、システムに少なくとも一つの流体伝送パイプ（１０５）を設けることで、ポンプ（１０６）の作動によって、流体が設備装置（１０３）に流れてから、流体伝送パイプ（１０５）を通して、自然温度蓄積体（１０１）に設けられる均熱装置（１０２）に回流することで、流体の循環が構成され、システムの主要な構成は下記の通りであり、
自然温度蓄積体（１０１）は相対的に安定な温度蓄積容量がより大きい地層、地表、池、川、砂漠、氷山、海洋の固体又は液体を有する自然温度蓄積体で構成され、
均熱装置（１０２）は熱伝導性の良い材料で構成され、自然温度蓄積体（１０１）との間に熱伝導の構造を持つものであり、均熱装置（１０２）自体が流体入口、流体出口及び内部流体の通路を持つものであり、
設備装置（１０３）は専属の特定の機能を持つ産業設備で構成され、安定な温度を持つ精密工作機械、精密産業機械、精密検査器具、観測器具、特定の開放式タンク、封鎖式タンク、安定した温度環境を持つ冷蔵設備、電気エネルギーを蓄積する装置、ＵＰＳのバッテリー、冷却が必要な内燃エンジン、モーター又は発電機の冷却が必要な回転電機設備装置で構成され、
設備装置（１０３）自体の内部に流体（１０４）が流れるパイプを設け、
流体分流パイプ（１１９）、分流制御弁（１２０）、分流補助ポンプ（１２１）の装置を設けることで、自然温度蓄積体（１０１）の中に設けてある均熱装置（１０２）に流れる流体（１０４）を導入して、設備装置（１０３）に選んだ個別で温度均衡を行うための部分に流れて温度均衡調整機能を行ってから、均熱装置（１０２）に回流することによって、循環を形成することで、温度均衡機能を行い、
流体（１０４）は、システムを運転する場合、熱伝送機能としての気体又は液体の流体がポンプ（１０６）に作動されることで、流体が自然温度蓄積体（１０１）の中に設けてある均熱装置（１０２）に流れ、流体伝送パイプ（１０５）に流れ、設備装置（１０３）の流体分流パイプ（１１９）に流れてから、流体伝送パイプ（１０５）を通して均熱装置（１０２）に回流することによって、循環を形成し、温度均衡機能を行い、
流体伝送パイプ（１０５）は流体（１０４）が流れるためのパイプ構造で構成することで、均熱装置（１０２）と設備装置（１０３）の間に設け、ポンプ（１０６）を直列で設けることが可能であり、
ポンプ（１０６）は電力、機械力、人力又はその他自然力を動力源として駆動する流体ポンプで構成され、それを使って、流体伝送パイプ（１０５）に直列で設けることで、制御ユニット（１１０）の制御を受けて、ポンプで流体（１０４）を作動させ、
温度検知装置（１０７）は従来のアナログ或いはデジタル電気機器又は固体電子装置で構成され、温度指示として使うか、制御信号を提供して制御ユニット（１１０）までフィードバック可能であり、
ろ過装置（１０８）はパイプの塞ぎを防止し、流体の清潔を確保可能であるろ過装置であり、この装置を流体循環回路の中の各装置の流体吸入口又は出口に設け、又は、流体伝送パイプ（１０５）の選定された位置に設け、
補助温度調整装置（１０９）は流体（１０４）に加熱又は冷却を行える電気機械式の固体、気体又は液体の温度調整装置で構成され、又は、固体又は半導体で構成される電気エネルギーの加熱又は冷却装置で構成され、制御ユニット（１１０）の制御を受けて、システムの温度が設定範囲から離れる場合、流体（１０４）へ加熱又は冷却の温度制御を行うことが可能であり、
制御ユニット（１１０）は電気機器又は固体電子電気回路及び関連ソフトで構成され、その機能は均熱装置（１０２）と設備装置（１０３）との間にある流体（１０４）の流動方向及び流量を制御し、ポンプ（１０６）を制御して流体（１０４）を作動させ、単方向流動で連続的又は間歇的に伝送運転を行うものであり、
制御ユニット（１１０）を使って、補助温度調整装置（１０９）の運転タイミング及び温度設定を制御し、分流制御弁（１２０）及び分流補助ポンプ（１２１）の運転を制御することで、それぞれの流体分流パイプ（１１９）の中で流体（１０４）をポンプで作動させ、又はポンプにより伝送を停止させ、流量を制御するものであり、
制御ユニット（１１０）は機能設定を行うことが可能であることを特徴とする設備装置に自然温度蓄積体を使用し、温度均衡を行うシステム。
【請求項２】
システムは、単方向流動の流体を利用して、間接に温度均衡を行うシステムで構成され、増設された中継均熱器（２０２）を利用して、間接に温度エネルギーを伝送することで、単方向流動で間接に温度均衡を行うシステムを構成し、自然温度蓄積体（１０１）、均熱装置（１０２）、設備装置（１０３）、流体（１０４）、流体伝送パイプ（１０５）、ポンプ（１０６）、温度検知装置（１０７）、ろ過装置（１０８）、制御ユニット（１１０）、補助温度調整装置（１０９）、流体分流パイプ（１１９）、分流制御弁（１２０）及び分流補助ポンプ（１２１）を備え、
自然温度蓄積体（１０１）の中に熱伝導性が良い均熱装置（１０２）を設けることで、均熱装置（１０２）及び自然温度蓄積体（１０１）で均熱伝送機能が形成され、
中継均熱器（２０２）は熱の蓄積及び熱伝導性が良い材料で構成され、中継均熱器（２０２）自体が流体（１０４）の入口、流れ通路及び出口の第一流体通路を持ち、又、流体（２０４）の入口、流れ通路及び出口の第二流体通路を持つことで、流体（１０４）及び流体（２０４）が中継均熱器（２０２）により相互に温度エネルギーを伝送することが可能であり、
均熱装置（１０２）と中継均熱器（２０２）との間に流体伝送パイプ（２０５）及び中継ポンプ（２０６）を設け、連続的又は間歇的に単方向流動で均熱装置（１０２）と中継均熱器（２０２）との間で流体（２０４）を循環させて伝送し、封鎖環状流路が形成されることで、均熱装置（１０２）と中継均熱器（２０２）との間で温度均衡機能が構成され、
設備装置（１０３）と中継均熱器（２０２）との間に流体伝送パイプ（１０５）及びポンプ（１０６）を設けることで、連続的又は間歇的に単方向流動で設備装置（１０３）と中継均熱器（２０２）との間で流体（１０４）を伝送させ、温度均衡機能を行い、
流体伝送パイプ（１０５）は流体（１０４）が流れるためのパイプ構造で構成され、
流体（１０４）は熱の蓄積及び熱伝導性が良い気体又は液体で構成されるので、ポンプ（１０６）の作動により、中継均熱器（２０２）と設備装置（１０３）との間で流体（１０４）が流体伝送パイプ（１０５）に流れ、流路を構成することで、温度均衡機能を行うものであり、流体（１０４）は流体（２０４）と同一のもの又は同一ではないものを選ぶことが可能であり、
流体伝送パイプ（２０５）は流体（２０４）が流れるためのパイプ構造で構成され、
流体（２０４）は熱の蓄積及び熱伝導性が良い気体又は液体で構成されるので、ポンプ（２０６）の作動により、均熱装置（１０２）と中継均熱器（２０２）との間で流体（２０４）が流体伝送パイプ（２０５）に流れて、流路を構成することで、温度均衡機能を行うものであり、流体（２０４）は流体（１０４）と同一のもの又は同一ではないものを選ぶことが可能であり、
ポンプ（１０６）は電力又は機械力で駆動する流体ポンプで構成されることで、流体（１０４）を伝送するものであり、
ポンプ（２０６）は電力又は機械力で駆動する流体ポンプで構成されることで、流体（２０４）を伝送するものであり、
設備装置（１０３）と中継均熱器（２０２）の間に流体伝送パイプ（１０５）とポンプ（１０６）を設けてあるので、ポンプ（１０６）により設備装置（１０３）と中継均熱器（２０２）との間で流体（１０４）を伝送することで、温度均衡機能を行うことが可能であり、
制御ユニット（１１０）は電気機器又は固体電子電気回路及び関連ソフトで構成され、その機能は設備装置（１０３）と中継均熱器（２０２）との間にある流体（１０４）の流動方向及び流量を制御し、中継均熱器（２０２）と均熱装置（１０２）との間の流体（２０４）の流動方向及び流量を制御し、流体のポンプ（１０６）を制御してポンプで流体（１０４）を作動させ、中継ポンプ（２０６）を制御してポンプで流体（２０４）を作動させることで、単方向流動で連続的又は間歇的に伝送運転を行うものであり、
その運転制御は、
制御ユニット（１１０）によりポンプ（１０６）を制御して、単方向流動で連続的又は間歇的に伝送運転を行うことで、設備装置（１０３）と中継均熱器（２０２）との間で流体（１０４）をポンプで作動させ、単方向流動による温度均衡調整機能が構成され、
制御ユニット（１１０）によりポンプ（２０６）を制御して、単方向流動で連続的又は間歇的に伝送運転を行うことで、均熱装置（１０２）と中継均熱器（２０２）との間で流体（２０４）をポンプで作動させ、単方向流動による温度均衡調整機能が構成され、
制御ユニット（１１０）を使って、補助温度調整装置（１０９）の運転タイミング及び温度設定を制御し、分流制御弁（１２０）及び分流補助ポンプ（１２１）の運転を制御することで、それぞれの流体分流パイプ（１１９）の中の流体（１０４）をポンプで作動させ、又はポンプにより伝送を停止させ、流量を制御するものであり、
制御ユニット（１１０）は機能設定を行うことが可能であることを特徴とする請求項１記載の設備装置に自然温度蓄積体を使用し、温度均衡を行うシステム。
【請求項３】
システムは、双方向流動の流体を利用して、直接に温度均衡を行うシステムで構成され、
自然温度蓄積体（１０１）は相対的に安定する温度蓄積容量が大きい地層、地表、池、川、砂漠、氷山、海洋の固体又は液体を呈する自然温度蓄積体で構成され、
均熱装置（１０２）は熱伝導性の良い材料で構成され、自然温度蓄積体（１０１）との間に熱伝導の良い構造を持つものであり、均熱装置（１０２）自体が流体入口、流体出口及び内部流体の通路を持つものであり、
設備装置（１０３）は専属の特定の機能を持つ産業設備で構成され、安定な温度を持つ精密工作機械、精密産業機械、精密検査器具、観測器具、特定の開放式タンク、封鎖式タンク、安定した温度環境を持つ冷蔵設備、電気エネルギーを蓄積する装置、ＵＰＳのバッテリー、冷却が必要な内燃エンジン、モーター又は発電機の冷却が必要な回転電機設備装置で構成され、
設備装置（１０３）自体の内部に流体（１０４）が流れるパイプを設け、
流体分流パイプ（１１９）、分流制御弁（１２０）、分流補助ポンプ（１２１）の装置を設けることで、自然温度蓄積体（１０１）の中に設けてある均熱装置（１０２）に流れる流体（１０４）を導入して、設備装置（１０３）に選んだ個別で温度均衡を行うための部分に流れて温度均衡調整機能を行ってから、均熱装置（１０２）に回流することによって、循環を形成することで、温度均衡機能を行い、
流体（１０４）は、システムを運転する場合、熱伝送機能としての気体又は液体の流体がポンプ（１０６）に作動されることで、流体が自然温度蓄積体（１０１）の中に設けてある均熱装置（１０２）に流れ、流体伝送パイプ（１０５）に流れ、設備装置（１０３）の流体分流パイプ（１１９）に流れてから、流体伝送パイプ（１０５）を通して均熱装置（１０２）に回流することによって、循環を形成することで、温度均衡機能を行い、
流体伝送パイプ（１０５）は流体（１０４）が流れるためのパイプ構造で構成することで、均熱装置（１０２）と設備装置（１０３）との間に設け、ポンプ（１０６）を直列で設けることが可能であり、
ポンプ（１０６）は電力、機械力、人力又はその他自然力を動力源として駆動する流体ポンプで構成され、それを使って、流体伝送パイプ（１０５）に直列で設けることで、制御ユニット（１１０）の制御を受けて、ポンプで流体（１０４）を作動させ、
温度検知装置（１０７）は従来のアナログ或いはデジタル電気機器又は固体電子装置で構成される温度検知装置で構成され、温度指示として使うか、制御信号を提供して制御ユニット（１１０）までフィードバック可能であり、
ろ過装置（１０８）はパイプの塞ぎを防止し、流体の清潔を確保可能であるろ過装置であり、この装置を流体循環回路の中での各装置の流体吸入口又は出口に設け、又は、流体伝送パイプ（１０５）の選定された位置に設けられ、
補助温度調整装置（１０９）は流体（１０４）に加熱又は冷却を行える電気機械式の温度調整装置で構成され、又は、固体又は半導体で構成される電気エネルギーの加熱又は冷却装置で構成されることで、制御ユニット（１１０）の制御を受けて、システムの温度が設定範囲から離れる場合、加熱又は冷却の温度制御を行うことが可能であり、
制御ユニット（１１０）は電気機器又は固体電子電気回路及び関連ソフトで構成され、その機能は均熱装置（１０２）と設備装置（１０３）との間にある流体（１０４）の流動方向及び流量を制御し、ポンプ（１０６）を制御して流体（１０４）を作動させることで、周期性の正方向又は反対方向交換により流体をポンプで伝送する流体（１０４）の流動方向を制御するものであり、その運転方式はポンプで連続的又は間歇的に伝送運転を行うことを含み、
その制御運転は、
制御ユニット（１１０）によりポンプ（１０６）を制御して、流体（１０４）に周期性の正方向及び反対方向の伝送を行うことで、均熱装置（１０２）、流体伝送パイプ（１０５）及び設備装置（１０３）の内部流体（１０４）へ流れる流動方向の周期交換を行うことが可能であるため、均熱装置（１０２）及び設備装置（１０３）の流体入口及び出口へ流れる流体（１０４）に流動方向の周期交換を行うことで、温度均衡効果が良いので、双方向流動の温度均衡著性機能が構成され、
制御ユニット（１１０）を使って、補助温度調整装置（１０９）の運転タイミング及び温度設定を制御し、分流制御弁（１２０）及び分流補助ポンプ（１２１）の運転を制御することで、それぞれの流体分流パイプ（１１９）の中の流体（１０４）をポンプで作動させ、又はポンプにより伝送を停止させ、流量を制御するものであり、
制御ユニット（１１０）は機能設定を行うことが可能であることを特徴とする請求項１記載の設備装置に自然温度蓄積体を使用し、温度均衡を行うシステム。
【請求項４】
システムは、双方向流動の流体を利用して、間接に温度均衡を行うシステムで構成され、増設された中継均熱器（２０２）を利用して、間接に温度エネルギーを伝送することで、単方向流動で間接に温度均衡を行う調整システムを構成し、自然温度蓄積体（１０１）、均熱装置（１０２）、設備装置（１０３）、流体（１０４）、流体伝送パイプ（１０５）、ポンプ（１０６）、温度検知装置（１０７）、ろ過装置（１０８）、制御ユニット（１１０）、補助温度調整装置（１０９）、流体分流パイプ（１１９）、分流制御弁（１２０）及び分流補助ポンプ（１２１）を備え、
自然温度蓄積体（１０１）の中に少なくとも一つの熱伝導性が良い均熱装置（１０２）を設けることで、均熱装置（１０２）と自然温度蓄積体（１０１）とで均熱伝送機能が形成され、
中継均熱器（２０２）は熱の蓄積及び熱伝導性が良い材料で構成され、中継均熱器（２０２）自体が流体（１０４）の入口、流れ通路及び出口の第一流体通路を持ち、又、流体（２０４）の入口、流れ通路及び出口の第二流体通路を持つことで、流体（１０４）及び流体（２０４）が中継均熱器（２０２）により相互に温度エネルギーを伝送することが可能であり、
均熱装置（１０２）と中継均熱器（２０２）との間に流体伝送パイプ（２０５）及び中継ポンプ（２０６）を設け、連続的又は間歇的に周期性の正方向又は反対方向により均熱装置（１０２）と中継均熱器（２０２）との間で流体（２０４）を循環させて伝送し、封鎖環状流路を形成することで、均熱装置（１０２）と中継均熱器（２０２）との間で温度均衡機能が構成され、
設備装置（１０３）と中継均熱器（２０２）との間に流体伝送パイプ（１０５）及びポンプ（１０６）を設けることで、連続的又は間歇的に周期性の正方向又は反対方向により設備装置（１０３）と中継均熱器（２０２）との間で流体（１０４）を伝送させ、温度均衡機能を行い、
流体伝送パイプ（１０５）は流体（１０４）が流れるためのパイプ構造で構成され、
流体（１０４）は熱の蓄積及び熱伝導性が良い気体又は液体で構成されるので、ポンプ（１０６）の作動により、中継均熱器（２０２）と設備装置（１０３）との間で流体（１０４）が流体伝送パイプ（１０５）に流れて、流路を構成することで、温度均衡機能を行うものであり、流体（１０４）は流体（２０４）と同一のもの又は同一ではないものを選ぶことが可能であり、
流体伝送パイプ（２０５）は流体（１０４）が流れるためのパイプ構造で構成され、
流体（２０４）は熱の蓄積及び熱伝導性が良い気体又は液体で構成されるので、ポンプ（２０６）の作動により均熱装置（１０２）と中継均熱器（２０２）との間で流体（２０４）が流体伝送パイプ（２０５）に流れて、流路を構成することで、温度均衡機能を行うものであり、流体（２０４）は流体（１０４）と同一のもの又は同一ではないものを選ぶことが可能であり、
ポンプ（１０６）は電力、機械力、人力又はその他自然力を動力源として駆動する流体ポンプで構成され、それを使って、流体伝送パイプ（１０５）に直列で設けることで、制御ユニット（１１０）の制御を受けて、ポンプで流体（１０４）を作動させ、
ポンプ（２０６）は電力、機械力、人力又はその他自然力を動力源として駆動する流体ポンプで構成されることで、ポンプで流体（２０４）を作動させ、
制御ユニット（１１０）は電気機器又は固体電子電気回路及び関連ソフトで構成され、その機能は設備装置（１０３）と中継均熱器（２０２）との間にある流体（１０４）の流動方向及び流量を制御し、中継均熱器（２０２）と均熱装置（１０２）との間の流体（２０４）の流動方向及び流量を制御し、流体のポンプ（１０６）を制御してポンプで流体（１０４）を作動させ、中継ポンプ（２０６）を制御してポンプで流体（２０４）を作動させることで、周期性の正方向又は反対方向交換により流体（１０４）又は流体（２０４）をポンプで伝送する流動方向を制御するものであり、その運転方式はポンプで連続的又は間歇的に伝送運転を行うことを含み、
その制御運転は、
制御ユニット（１１０）によりポンプ（１０６）を制御して、流体（１０４）に周期性の正方向又は反対方向の伝送を行うことで、中継均熱器（２０２）、流体伝送パイプ（１０５）及び設備装置（１０３）の内部流体（１０４）に流れる流動方向の周期交換を行うことが可能であり、又、中継均熱器（２０２）及び設備装置（１０３）の流体入口及び出口へ流れる流体（１０４）に流動方向の周期交換を行うことで、温度均衡効果が良いので、双方向流動の温度均衡著性機能が構成され、
制御ユニット（１１０）によりポンプ（２０６）を制御して、流体（２０４）に周期性の正方向及び反対方向の伝送を行うことで、均熱装置（１０２）、流体伝送パイプ（２０５）及び中継均熱器（２０２）の内部流体（２０４）に流れる流動方向の周期交換を行うことが可能であり、又、中継均熱器（２０２）及び均熱装置（１０２）の流体入口及び出口へ流れる流体（２０４）に流動方向の周期交換を行えるので、温度均衡効果が良いので、双方向流動の温度均衡著性機能が構成され、
制御ユニット（１１０）を使って、補助温度調整装置（１０９）の運転タイミング及び温度設定を制御し、分流制御弁（１２０）及び分流補助ポンプ（１２１）の運転を制御することで、それぞれの流体分流パイプ（１１９）の中で流体（１０４）をポンプで作動させ、又はポンプにより伝送を停止させ、流量を制御するものであり、
制御ユニット（１１０）は機能設定を行うことが可能であることを特徴とする請求項１記載の設備装置に自然温度蓄積体を使用し、温度均衡を行うシステム。
【請求項５】
単方向流動で直接に温度均衡を行うシステムの中で、均熱装置（１０２）と設備装置（１０３）との間に用いる均熱運転方式は、均熱装置（１０２）と設備装置（１０３）との間に少なくとも一つの流体伝送パイプ（１０５）及び少なくとも一つのポンプ（１０６）を設けることで、封鎖回路を形成し、ポンプ（１０６）で熱伝導が良い流体（１０４）を伝送することで、単方向で連続的又は間歇的に伝送を行い、又は、ポンプの作動により伝送する場合の伝送量を制御することで、均熱装置（１０２）と設備装置（１０３）との間に温度均衡を行う機能が構成される方式であることを特徴とする請求項１記載の設備装置に自然温度蓄積体を使用し、温度均衡を行うシステム。
【請求項６】
双方向流動で直接に温度均衡を行うシステムの中で、均熱装置（１０２）と設備装置（１０３）との間に用いる均熱運転方式は、均熱装置（１０２）と設備装置（１０３）との間に流体（１０４）が流れるための流体伝送パイプ（１０５）及びポンプ（１０６）を設けて、ポンプ（１０６）を制御して、連続又は間歇に流体（１０４）を作動させ、作動される流体の流動方向は周期交換の流動方向であることで、均熱装置（１０２）と設備装置（１０３）との温度差均衡を行うことが可能であることを特徴とする請求項３記載の設備装置に自然温度蓄積体を使用し、温度均衡を行うシステム。
【請求項７】
システムは、直接熱伝導が良い従来の熱パイプ装置を使って、均熱装置（１０２）と設備装置（１０３）との間に設けて、流体伝送パイプ（１０５）又は必要により設けられる流体分流パイプ（１１９）の代わりとして使うことで、温度均衡機能を生じることを特徴とする請求項５または請求項６記載の設備装置に自然温度蓄積体を使用し、温度均衡を行うシステム。
【請求項８】
単方向流動で直接に温度均衡を行うシステムの中で、均熱装置（１０２）と中継均熱器（２０２）との間に用いる均熱運転方式は、均熱装置（１０２）と中継均熱器（２０２）との間に流体（２０４）が流れるための流体伝送パイプ（２０５）及び中継ポンプ（２０６）を設けることで、封鎖回路を形成し、中継ポンプ（２０６）で熱伝導が良い流体（２０４）を伝送することで、単方向で連続的又は間歇的に伝送を行い、ポンプの作動により伝送する場合の伝送量を制御することで、均熱装置（１０２）と中継均熱器（２０２）との間に温度均衡を行う機能が構成される方式であり、
システムの中継均熱器（２０２）と設備装置（１０３）との間に用いる均熱運転方式は、中継均熱器（２０２）と設備装置（１０３）との間に流体伝送パイプ（１０５）及びポンプ（１０６）を設けることで、封鎖回路を形成し、ポンプ（１０６）で熱伝導が良い流体（１０４）を伝送することで、単方向で連続的又は間歇的に伝送を行い、ポンプの作動により伝送する場合の伝送量を制御することで、中継均熱器（２０２）と設備装置（１０３）との間に温度均衡を行う機能が構成されることを特徴とする請求項２記載の設備装置に自然温度蓄積体を使用し、温度均衡を行うシステム。
【請求項９】
均熱装置（１０２）と中継均熱器（２０２）との間に用いる均熱運転方式は、中継均熱器（２０２）及び均熱装置（１０２）との間に流体（２０４）が流れるための流体伝送パイプ（２０５）及び中継ポンプ（２０６）を設け、中継ポンプ（２０６）を制御して、連続的又は間歇的に流体（２０４）を作動させ、作動される流体の流動方向は周期交換の流動方向であることで、中継均熱器（２０２）と均熱装置（１０２）の温度差を均衡させることが可能である方式であり、又、システムの中継均熱器（２０２）と設備装置（１０３）との間に用いる均熱運転方式は、中継均熱器（２０２）と設備装置（１０３）との間に流体（１０４）が流れるための流体伝送パイプ（１０５）及びポンプ（１０６）を設け、ポンプ（１０６）を制御して、連続的又は間歇的に流体（１０４）を作動させ、作動される流体の流動方向は周期交換の流動方向であることで、中継均熱器（２０２）と設備装置（１０３）の温度差を均衡させることが可能であることを特徴とする請求項４記載の設備装置に自然温度蓄積体を使用し、温度均衡を行うシステム。
【請求項１０】
システムは、直接熱伝導が良い従来の熱パイプ装置を使って、均熱装置（１０２）と中継均熱器（２０２）との間に設けて、流体伝送パイプ（２０５）の代わりとして使われ、又は、中継均熱器（２０２）と設備装置（１０３）との間に設けることで、流体伝送パイプ（１０５）又は必要により設けられる流体分流パイプ（１１９）の代わりとして使うことで、温度均衡を行う機能を構成することを特徴とする請求項８又は請求項９記載の設備装置に自然温度蓄積体を使用し、温度均衡を行うシステム。
【請求項１１】
均熱装置（１０２）と中継均熱器（２０２）との間に配置されるポンプ（１０６）に作動される流体（１０４）と、中継均熱器（２０２）と設備装置（１０３）との間に配置される中継ポンプ（２０６）に作動される流体（２０４）との作動タイミングが同時又は同時ではない場合、作動される流体（１０４）及び流体（２０４）に周期的に流動方向を変更する双方向流動を行うことが可能であり、ポンプ（１０６）又は中継ポンプ（２０６）の一つを選んで、単方向で連続的又は間歇的に作動を行い、又、別の一つのポンプを使って、周期的に流動方向を変更して、連続的又は間歇的に作動を行うものであることを特徴とする請求項８又は請求項９記載の設備装置に自然温度蓄積体を使用し、温度均衡を行うシステム。
【請求項１２】
ポンプ（１０６）と中継ポンプ（２０６）は、下記の（１）〜（６）のいずれか１つであり、
（１）単一のポンプを使って、単方向流動により連続にポンプで作動させ、
（２）単一のポンプを使って、単方向流動により間歇にポンプで作動させ、
（３）単一のポンプを使って、単方向流動によりポンプで作動させ、可変流動方向弁を使って、周期変換で流体を作動させる流体方向を制御し、
（４）複数セットの異なる動力源を使うポンプにより同時に異なる流動方向で作動させ、又は、それぞれ周期変換で流体を作動させる流体方向を制御し、
（５）同一動力源を使って、同時に流動方向が異なるポンプを駆動することで、連続的に異なる流動方向で作動させ、又は、周期変換で流体を作動させる流体方向を制御し、
（６）双方向によりポンプで作動させる機能がある双方向流動ポンプを使って、動力源の回転方向を変更することで、周期変換で流体を作動させる流体方向を制御することを特徴とする請求項１から請求項４のいずれか一項に記載の設備装置に自然温度蓄積体を使用し、温度均衡を行うシステム。
【請求項１３】
流体伝送パイプ（１０５）、流体伝送パイプ（２０５）又は選んで設けられた流体分流パイプ（１１９）は、熱の蓄積性が良好な材料を使って、必要な長さ及び特定の幾何形状の構造で構成することで（例えば、曲がり形、迷宮形、渦形）、自然温度蓄積体（１０１）に埋めて、均熱装置（１０２）の代わりとして、又は、均熱装置（１０２）に協力して、自然温度蓄積体（１０１）との間に均熱の機能を構成するものであることを特徴とする請求項１から請求項４のいずれか一項に記載の設備装置に自然温度蓄積体を使用し、温度均衡を行うシステム。
【請求項１４】
ろ過装置はパイプの塞ぎを防止し、流体の清潔を確保可能であるろ過装置であり、このろ過装置をシステムの中の各装置の流体吸入口又は出口に設け、流体伝送パイプの中に設けることを特徴とする請求項１から請求項４のいずれか一項に記載の設備装置に自然温度蓄積体を使用し、温度均衡を行うシステム。
【請求項１５】
システムの中の均熱装置（１０２）、設備装置（１０３）、流体（１０４）、流体伝送パイプ（１０５）、ポンプ（１０６）、選んで設けられる温度検知装置（１０７）、ろ過装置（１０８）、補助温度調整装置（１０９）、制御ユニット（１１０）、流体分流パイプ（１１９）、分流制御弁（１２０）及び分流補助ポンプ（１２１）の各構造の設置数量は、一つ又は一つ以上を設置し、又、一つの項目を２個又は２個以上選ぶ場合、規格又は材料は同一又は同一ではないものを選ぶことが可能であることを特徴とする請求項１又は請求項３記載の設備装置に自然温度蓄積体を使用し、温度均衡を行うシステム。
【請求項１６】
システムの中の均熱装置（１０２）、設備装置（１０３）、流体（１０４）、流体伝送パイプ（１０５）、ポンプ（１０６）、中継均熱器（２０２）、流体（２０４）、中継ポンプ（２０６）、選んで設けられる温度検知装置（１０７）、ろ過装置（１０８）、補助温度調整装置（１０９）、制御ユニット（１１０）、流体分流パイプ（１１９）、分流制御弁（１２０）及び分流補助ポンプ（１２１）の各構造の設置数量は、一つ又は一つ以上を設置し、又、一つの項目を２個又は２個以上選ぶ場合、規格又は材料は同一又は同一ではないものを選ぶことが可能であることを特徴とする請求項２又は請求項４記載の設備装置に自然温度蓄積体を使用し、温度均衡を行うシステム。
【発明の詳細な説明】
【技術分野】
【０００１】
設備装置に自然温度蓄積体を使用することで、温度均衡を行うシステムに関するものである。安定な温度蓄積容量がより大きい地層、地表、池、川、砂漠、氷山、海洋等の固体又は液体を呈する自然温度蓄積体に熱伝導が良い均熱装置及び流体伝送パイプを設けることで、その中に流れる温度差のある流体に温度均衡調整機能を行うことができる。又は、能動的な均熱装置との間に良い熱伝導を持つ中継均熱器を増設することで、その中に流れる温度差のある流体に温度均衡機能を行うことができる。
【背景技術】
【０００２】
従来の設備装置に温度の保持、冷却又は加熱を行う場合、通常、保温、冷却又は加熱等の能動的な温度調整装置を設けなければならないが、このような装置のコストは高くて、エネルギーもよりたくさん必要である。
【発明の開示】
【発明が解決しようとする課題】
【０００３】
本発明の主要な目的は、設備装置に自然温度蓄積体を使用し、温度均衡を行うシステムを提供するものである。それは、自然にある相対的に安定な温度エネルギーを蓄積する地層、地表、池、川、砂漠、氷山、海洋等の固体又は液体を呈する自然温度蓄積体に熱伝導が良い均熱装置を設けることで、その中に流れる温度差のある流体に温度均衡調整機能を行うことができる。又は、自然温度蓄積体自体が持つ流体の収納空間を使って、又は、直接流体の伝送パイプを構成することで、流体から直接自然温度蓄積体へ接触することで、流れる流体に温度均衡調整機能を行うことができる。
【課題を解決するための手段】
【０００４】
設備装置に自然温度蓄積体を使用し、温度均衡を行うシステムに関するものである。安定な温度蓄積容量がより大きい固体又は液体を呈する自然温度蓄積体に流体が流れるための均熱装置及び流体伝送パイプを設けて、流体が設備装置に流れることで、設備装置に温度均衡を行ってから、流体が改めて自然温度蓄積体に設けられる均熱装置に回流して来た時、自然温度蓄積体との間に良い均熱伝導のある均熱装置により、回流して来た流体に温度均衡を行うものである。
【発明を実施するための最良の形態】
【０００５】
設備装置に自然温度蓄積体を使用し、温度均衡を行うシステムは、環境、効果及びコストにより下記のようなシステム構造で構成することができる。
（１）単方向流動の流体を利用して、直接に温度均衡を行うシステムで構成される。
（２）単方向流動の流体を利用して、間接に温度均衡を行うシステムで構成される。
（３）双方向流動の流体を利用して、直接に温度均衡を行うシステムで構成される。
（４）双方向流動の流体を利用して、間接に温度均衡を行うシステムで構成される。
【０００６】
図１は、本発明の一実施例による設備装置に自然温度蓄積体を使用し、温度均衡を行うシステムの模式図である。このシステムは、少なくとも一つの流体伝送パイプ１０５を設けて、ポンプ１０６の作動によって、流体が設備装置１０３に流れてから、流体伝送パイプ１０５を通して、自然温度蓄積体１０１に設けられる均熱装置１０２に回流することで、流体の循環が構成されるのである。そのシステムの主要な構成は、下記の通りである。
【０００７】
自然温度蓄積体１０１は、相対的に安定な温度蓄積容量がより大きい地層、地表、池、川、砂漠、氷山、海洋等の固体又は液体を呈する自然温度蓄積体で構成される。
均熱装置１０２は、良い熱伝導性の材料で構成され、自然温度蓄積体１０１との間に良い熱伝導の構造を持つものであり、均熱装置１０２自体が流体入口、流体出口及び内部流体の通路を持つか、自然温度蓄積体１０１の内部に流体が流れる空間により直接均熱装置１０２の温度蓄積機能を構成することで、良い熱伝導性の材料で作られた均熱装置１０２の代わりとして使う。又は、同時に両者を設置するものである。
【０００８】
設備装置１０３は、専属の特定の機能を持つ産業設備で構成され、安定な温度を持つ精密工作機械、精密産業機械、又は精密検査インストルメント、又は観測インストルメント、又は特定の開放式タンク、又は封鎖式タンク、又はその他安定な温度環境を持つ冷蔵設備、電気エネルギーを蓄積する装置、例えば、ＵＰＳのバッテリー、又は冷却が必要な内燃エンジン、又はモーター、又は発電機等の冷却が必要な回転電機設備装置で構成され、上述の設備装置に温度均衡を行うために必要な対象構造を持ち、又は、以上の各種の設備装置１０３自体に配置される冷却又は加熱装置の放熱器自体はすべて温度均衡を行うために必要な対象構造である。
【０００９】
設備装置１０３自体の内部に流体１０４が流れるパイプ、及び設備装置１０３に温度均衡を行うために必要な対象構造を置く位置の流体１０４との間に温度均衡調整機能を行うための構造を設け、又は、直接流体が流れるパイプを利用して温度均衡を行うために必要な対象物を置く位置に流れて、直接に温度均衡調整機能を行う。
又、必要によって流体分流パイプ１１９、分流制御弁１２０、分流補助ポンプ１２１等の装置を設けることで、自然温度蓄積体１０１の中に設けてある均熱装置１０２に流れる流体１０４を導入して、設備装置１０３に選んだ個別で温度均衡を行うための部分に流れて温度均衡調整機能を行ってから、均熱装置１０２に回流することによって、循環を形成することで、温度均衡機能を行う。
【００１０】
流体１０４は、システムを運転する場合、熱伝送機能としての気体又は液体等の流体がポンプ１０６に作動されることで、流体が自然温度蓄積体１０１の中に設けてある均熱装置１０２に流れ、及び流体伝送パイプ１０５に流れ、及び必要によって設備装置１０３の流体分流パイプ１１９に流れてから、流体伝送パイプ１０５を通して均熱装置１０２に回流することによって、循環を形成することで、温度均衡機能を行う。
流体伝送パイプ１０５は、流体１０４が流れるためのパイプ構造で構成することで、均熱装置１０２と設備装置１０３の間に設け、ポンプ１０６を直列で設けることができる。流体伝送パイプ１０５は必要によって開く構造又は引き出す構造を設けることができるので、メンテナンス作業を便利に行える。
【００１１】
ポンプ１０６は、電力、機械力、人力又はその他自然力を動力源として駆動する流体ポンプで構成され、それを使って、流体伝送パイプ１０５に直列で設けることで、制御ユニット１１０の制御を受けて、ポンプで流体１０４を作動させる。このポンプで作動させる機能の代わりとして、流体が熱くなると上がり、冷却すると下がるという対流効果を使っても良い。
温度検知装置１０７は、従来のアナログ或いはデジタル機電又は固体電子装置で構成され、温度指示として使うか、制御信号を提供して制御ユニット１１０までフィードバックすることもできる。この装置は必要によって設けるかどうかを選ぶことができる。
【００１２】
ろ過装置１０８は、パイプの塞ぎを防止し、流体の清潔を確保できるろ過装置であり、この装置を流体循環回路の中の各装置の流体吸入口又は出口に設け、又は、流体伝送パイプ１０５の選定された位置に設け、このろ過装置１０８は必要によって設けるかどうかを選ぶことができる。
補助温度調整装置１０９は、流体１０４に加熱又は冷却を行える機電式の固体、気体又は液体の温度調整装置で構成され、又は固体又は半導体で構成される電気エネルギーの加熱又は冷却装置で構成され、又、設備装置に自然温度蓄積体を使用し、温度均衡を行うシステムの中で流体１０４へ加熱又は冷却を行える位置に設けることで、制御ユニット１１０の制御を受けて、システムの温度が設定範囲から離れる場合、補助温度調整装置１０９を起動して、流体１０４へ加熱又は冷却の温度制御を行うことができる。この装置は必要によって設けるかどうかを選ぶことができる。
【００１３】
制御ユニット１１０は、機電又は固体電子電気回路及び関連ソフトで構成され、その機能は、均熱装置１０２と設備装置１０３の間にある流体１０４の流動方向及び流量を制御し、及びポンプ１０６を制御して流体１０４を作動させ、単方向流動で連続的に伝送運転を行い、又は、間歇的に伝送運転を行うものである。
又、必要によって設備装置１０３に補助温度調整装置１０９、流体分流パイプ１１９、分流制御弁１２０、分流補助ポンプ１２１を設ける場合、制御ユニット１１０を使って、補助温度調整装置１０９の運転タイミング及び温度設定を制御し、又、分流制御弁１２０及び分流補助ポンプ１２１の運転を制御することで、それぞれの流体分流パイプ１１９の中で流体１０４をポンプで作動させ、又は、ポンプにより伝送を停止、及び流量又はその他関連機能を制御するものである。
この制御ユニット１１０は、必要によって機能設定を行うことができる。又、必要によって設けるかどうかを選ぶことができる。
【００１４】
図２は、本実施例が単方向流動の流体を利用して、間接に温度均衡を行うシステムの模式図である。それは、増設された中継均熱器２０２を利用して、間接に温度エネルギーを伝送することで、単方向流動で間接に温度均衡を行う調整システムが構成される。それは、図１で示されるそれぞれの装置（例えば、自然温度蓄積体１０１、均熱装置１０２、設備装置１０３、流体１０４、流体伝送パイプ１０５、ポンプ１０６、温度検知装置１０７、ろ過装置１０８、制御ユニット１１０、補助温度調整装置１０９、流体分流パイプ１１９、分流制御弁１２０及び分流補助ポンプ１２１）を備えるほか、単方向流動で間接に温度均衡を行う調整システムの主要なシステムは、更に下記のようなものを含む。
【００１５】
自然温度蓄積体１０１の中に熱伝導性が良い均熱装置１０２を設けることで、均熱装置１０２及び自然温度蓄積体１０１で均熱伝送機能が形成される。
中継均熱器２０２は、熱の蓄積及び熱伝導性が良い材料で構成され、中継均熱器２０２自体が流体１０４の入口、流れ通路及び出口の第一流体通路を持ち、又、流体２０４の入口、流れ通路及び出口の第二流体通路を持つことで、流体１０４及び流体２０４が中継均熱器２０２により相互に温度エネルギーを伝送することができる。
【００１６】
均熱装置１０２と中継均熱器２０２の間に流体伝送パイプ２０５及び中継ポンプ２０６を設け、連続又は間歇的に単方向流動で均熱装置１０２と中継均熱器２０２の間で流体２０４を循環させて伝送し、封鎖環状流路が形成されることで、均熱装置１０２と中継均熱器２０２の間で温度均衡機能が構成される。
設備装置１０３と中継均熱器２０２の間に流体伝送パイプ１０５及びポンプ１０６を設けることで、連続又は間歇的に単方向流動で設備装置１０３と中継均熱器２０２の間で流体１０４を伝送させ、温度均衡機能を行う。
【００１７】
流体伝送パイプ１０５は、流体１０４が流れるためのパイプ構造で構成され、流体伝送パイプ１０５は必要によって開く構造又は引き出す構造を設けることができるので、メンテナンス作業を便利に行える。
流体１０４は、熱の蓄積及び熱伝導性が良い気体又は液体で構成されるので、ポンプ１０６の作動により中継均熱器２０２と設備装置１０３の間で流体１０４が流体伝送パイプ１０５に流れて、流路を構成することで、温度均衡機能を行うものであり、流体１０４は必要によって流体２０４と同一のもの又は同一ではないものを選ぶことができる。
【００１８】
流体伝送パイプ２０５は、流体２０４が流れるためのパイプ構造で構成され、流体伝送パイプ２０５は必要によって開く構造又は引き出す構造を設けることができるので、メンテナンス作業を便利に行える。
流体２０４は、熱の蓄積及び熱伝導性が良い気体又は液体で構成されるので、ポンプ２０６の作動により均熱装置１０２と中継均熱器２０２の間で流体２０４が流体伝送パイプ２０５に流れて、流路を構成することで、温度均衡機能を行うものであり、流体２０４は必要によって流体１０４と同一のもの又は同一ではないものを選ぶことができる。
【００１９】
ポンプ１０６は、電力又は機械力で駆動する流体ポンプで構成されることで、流体１０４を伝送するものであり、このポンプで作動させる機能の代わりとして、流体が熱くなると上がり、冷却すると下がるという対流効果を使っても良い。
ポンプ２０６は、電力又は機械力で駆動する流体ポンプで構成されることで、流体２０４を伝送するものであり、このポンプで作動させる機能の代わりとして、流体が熱くなると上がり、冷却すると下がるという対流効果を使っても良い。
【００２０】
設備装置１０３と中継均熱器２０２の間に流体伝送パイプ１０５とポンプ１０６を設けてあるので、ポンプ１０６により設備装置１０３と中継均熱器２０２の間で流体１０４を伝送することで、温度均衡機能を行うことができる。
制御ユニット１１０は、機電又は固体電子電気回路及び関連ソフトで構成され、その機能は、設備装置１０３と中継均熱器２０２の間にある流体１０４の流動方向及び流量を制御し、及び中継均熱器２０２と均熱装置１０２の間で流体２０４の流動方向及び流量を制御し、又、流体のポンプ１０６を制御してポンプで流体１０４を作動させ、又は、中継ポンプ２０６を制御してポンプで流体２０４を作動させることで、単方向流動で連続的に伝送運転を行い、又は、間歇的に伝送運転を行うものである。その運転制御は、下記のようなものを含む。
【００２１】
制御ユニット１１０によりポンプ１０６を制御して、単方向流動で連続的に伝送運転を行い、又は、間歇的に伝送運転を行うことで、設備装置１０３と中継均熱器２０２の間の流体１０４をポンプで作動させ、単方向流動による温度均衡調整機能が構成される。
制御ユニット１１０によりポンプ２０６を制御して、単方向流動で連続的に伝送運転を行い、又は、間歇的に伝送運転を行うことで、均熱装置１０２と中継均熱器２０２の間で流体２０４をポンプで作動させ、単方向流動による温度均衡調整機能が構成される。
【００２２】
又、必要によって設備装置１０３に補助温度調整装置１０９、流体分流パイプ１１９、分流制御弁１２０及び分流補助ポンプ１２１を設ける場合、制御ユニット１１０を使って、補助温度調整装置１０９の運転タイミング及び温度設定を制御し、又、分流制御弁１２０及び分流補助ポンプ１２１の運転を制御することで、それぞれの流体分流パイプ１１９の中で流体１０４をポンプで作動させ、又は、ポンプにより伝送を停止、及び流量又はその他関連機能を制御するものである。
【００２３】
この制御ユニット１１０は、必要によって機能設定を行うことができる。又、必要によって設けるかどうかを選ぶことができる。
図３は、本実施例が双方向流動の流体を利用して、直接に温度均衡を行うシステムの模式図である。
自然温度蓄積体１０１は、相対的に安定な温度蓄積容量がより大きい地層、地表、池、川、砂漠、氷山、海洋等の固体又は液体を呈する自然温度蓄積体で構成される。
【００２４】
均熱装置１０２は、良い熱伝導性の材料で構成され、自然温度蓄積体１０１との間に良い熱伝導の構造を持つものであり、均熱装置１０２自体に流体入口、流体出口及び内部流体の通路を持つか、自然温度蓄積体１０１の内部に流体が流れる空間により直接均熱装置１０２の温度蓄積機能を構成することで、良い熱伝導性の材料で作られた均熱装置１０２の代わりとして使う。又は、同時に両者を設置するものである。
【００２５】
設備装置１０３は、専属の特定の機能を持つ産業設備で構成され、それは安定な温度を持つ精密工作機械、精密産業機械、又は精密検査インストルメント、又は観測インストルメント、又は特定の開放式タンク、又は封鎖式タンク、又はその他安定な温度環境を持つ冷蔵設備、電気エネルギーを蓄積する装置、例えば、ＵＰＳのバッテリー、又は冷却が必要な内燃エンジン、又はモーター、又は発電機等の冷却が必要な回転電機設備装置で構成され、上述の設備装置に温度均衡を行うために必要な対象構造を持ち、又は、以上の各種の設備装置１０３自体に配置される冷却又は加熱装置の放熱器自体はすべて温度均衡を行うために必要な対象構造である。
【００２６】
設備装置１０３自体の内部に流体１０４が流れるパイプ、及び設備装置１０３に温度均衡を行うために必要な対象構造を置く位置の流体１０４との間に温度均衡調整機能を行うための構造を設け、又は、直接流体が流れるパイプを利用して、温度均衡を行うために必要な対象物を置く位置に流れて、直接に温度均衡調整機能を行う。又、必要によって流体分流パイプ１１９、分流制御弁１２０、分流補助ポンプ１２１等の装置を設けることで、自然温度蓄積体１０１の中に設けてある均熱装置１０２に流れる流体１０４を導入して、設備装置１０３に選んだ個別で温度均衡を行うための部分に流れて温度均衡調整機能を行ってから、均熱装置１０２に回流することによって循環を形成することで、温度均衡機能を行う。
【００２７】
流体１０４は、システムを運転する場合、熱伝送機能としての気体又は液体等の流体がポンプ１０６に作動されることで、流体が自然温度蓄積体１０１の中に設けてある均熱装置１０２に流れ、及び流体伝送パイプ１０５に流れ、及び必要によって設備装置１０３の流体分流パイプ１１９に流れてから、流体伝送パイプ１０５を通して均熱装置１０２に回流することによって、循環を形成することで、温度均衡機能を行う。
【００２８】
流体伝送パイプ１０５は、流体１０４が流れるためのパイプ構造で構成することで、均熱装置１０２と設備装置１０３の間に設け、ポンプ１０６を直列で設けることができる。流体伝送パイプ１０５は必要によって開く構造又は引き出す構造を設けることができるので、メンテナンス作業を便利に行える。
ポンプ１０６は、電力、機械力、人力又はその他自然力を動力源として駆動する流体ポンプで構成され、それを使って、流体伝送パイプ１０５に直列で設けることで、制御ユニット１１０の制御を受けて、ポンプで流体１０４を作動させる。このポンプで作動させる機能の代わりとして、流体が熱くなると上がり、冷却すると下がるという対流効果を使っても良い。
【００２９】
温度検知装置１０７は、従来のアナログ或いはデジタル機電又は固体電子装置で構成される温度検知装置で構成され、温度指示として使うか、制御信号を提供して制御ユニット１１０までフィードバックすることもできる。この装置は必要によって設けるかどうかを選ぶことができる。
ろ過装置１０８は、パイプの塞ぎを防止し、流体の清潔を確保できるろ過装置であり、この装置を流体循環回路の中の各装置の流体吸入口又は出口に設け、又は、流体伝送パイプ１０５の選定された位置に設け、このろ過装置１０８は必要によって設けるかどうかを選ぶことができる。
【００３０】
補助温度調整装置１０９は、流体１０４に加熱又は冷却を行える機電式の補助温度調整装置で構成され、又は、固体又は半導体で構成される電気エネルギーの加熱又は冷却装置で構成されることで、制御ユニット１１０の制御を受けて、システムの温度が設定範囲から離れる場合、加熱又は冷却の温度制御を行うことができる。この装置は必要によって設けるかどうかを選ぶことができる。
【００３１】
制御ユニット１１０は、機電又は固体電子電気回路及び関連ソフトで構成され、その機能は、均熱装置１０２と設備装置１０３の間にある流体１０４の流動方向及び流量を制御し、及びポンプ１０６を制御して流体１０４を作動させることで、周期性の正方向又は反対方向交換により流体をポンプで伝送する流体１０４の流動方向を制御するものであり、又、その運転方式はポンプで連続的に伝送運転を行い、間歇的に伝送運転を行うことを含む。その制御運転は、下記の通りである。
【００３２】
制御ユニット１１０によりポンプ１０６を制御して、流体１０４の周期性の正方向及び反対方向の伝送を行うことで、均熱装置１０２、流体伝送パイプ１０５及び設備装置１０３の内部流体１０４へ流れる流動方向の周期交換を行うことができるため、均熱装置１０２及び設備装置１０３の流体入口及び出口へ流れる流体１０４に流動方向の周期交換を行うことで、その温度均衡効果がもっと良いので、双方向流動の温度均衡著性機能が構成される。
【００３３】
又、必要によって設備装置１０３に補助温度調整装置１０９、流体分流パイプ１１９、分流制御弁１２０、分流補助ポンプ１２１を設ける場合、制御ユニット１１０を使って、補助温度調整装置１０９の運転タイミング及び温度設定を制御し、又、分流制御弁１２０及び分流補助ポンプ１２１の運転を制御することで、それぞれの流体分流パイプ１１９の中の流体１０４をポンプで作動させ、又は、ポンプにより伝送を停止、及び流量又はその他関連機能を制御するものである。
この制御ユニット１１０は、必要によって機能設定を行うことができる。又、必要によって設けるかどうかを選ぶことができる。
【００３４】
図４は、本実施例が双方向流動の流体を利用して、間接に温度均衡を行うシステムの模式図である。それは、増設された中継均熱器２０２を利用して、間接に温度エネルギーを伝送することで、双方向流動で間接に温度均衡を行う調整システムが構成される。それは、図３で示されるそれぞれの装置、例えば、自然温度蓄積体１０１、均熱装置１０２、設備装置１０３、流体１０４、流体伝送パイプ１０５、ポンプ１０６、温度検知装置１０７、ろ過装置１０８、制御ユニット１１０、補助温度調整装置１０９、流体分流パイプ１１９、分流制御弁１２０及び分流補助ポンプ１２１を備えるほか、その双方向流動で間接に温度均衡を行う調整システムの主要なシステムは、更に下記のようなものを含む。
【００３５】
自然温度蓄積体１０１の中に少なくとも一つの熱伝導性が良い均熱装置１０２を設けることで、均熱装置１０２と自然温度蓄積体１０１で均熱伝送機能が形成される。
中継均熱器２０２は、熱の蓄積及び熱伝導性が良い材料で構成され、中継均熱器２０２自体が流体１０４の入口、流れ通路及び出口の第一流体通路を持ち、又、流体２０４の入口、流れ通路及び出口の第二流体通路を持つことで、流体１０４及び流体２０４が中継均熱器２０２により相互に温度エネルギーを伝送することができる。
【００３６】
均熱装置１０２と中継均熱器２０２の間に流体伝送パイプ２０５及び中継ポンプ２０６を設け、連続又は間歇的に周期性の正方向又は反対方向により均熱装置１０２と中継均熱器２０２の間で流体２０４を循環させて伝送し、封鎖環状流路を形成することで、均熱装置１０２と中継均熱器２０２の間で温度均衡機能が構成される。
設備装置１０３と中継均熱器２０２の間に流体伝送パイプ１０５及びポンプ１０６を設けることで、連続又は間歇的に周期性の正方向又は反対方向により設備装置１０３と中継均熱器２０２の間で流体１０４を伝送させ、温度均衡機能を行う。
【００３７】
流体伝送パイプ１０５は、流体１０４が流れるためのパイプ構造で構成され、流体伝送パイプ１０５は必要によって開く構造又は引き出す構造を設けることができるので、メンテナンス作業を便利に行える。
流体１０４は、熱の蓄積及び熱伝導性が良い気体又は液体で構成されるので、ポンプ１０６の作動により中継均熱器２０２と設備装置１０３の間で流体１０４が流体伝送パイプ１０５に流れて、流路を構成することで、温度均衡機能を行うものであり、流体１０４は必要によって流体２０４と同一のもの又は同一ではないものを選ぶことができる。
【００３８】
流体伝送パイプ２０５は、流体１０４が流れるためのパイプ構造で構成され、流体伝送パイプ２０５は必要によって開く構造又は引き出す構造を設けることができるので、メンテナンス作業を便利に行える。
流体２０４は、熱の蓄積及び熱伝導性が良い気体又は液体で構成されるので、ポンプ２０６の作動により均熱装置１０２と中継均熱器２０２の間で流体２０４が流体伝送パイプ２０５に流れて、流路を構成することで、温度均衡機能を行うものであり、流体２０４は必要によって流体１０４と同一のもの又は同一ではないものを選ぶことができる。
【００３９】
ポンプ１０６は、電力、機械力、人力又はその他自然力を動力源として駆動する流体ポンプで構成され、それを使って、流体伝送パイプ１０５に直列で設けることで、制御ユニット１１０の制御を受けて、ポンプで流体１０４を作動させる。このポンプで作動させる機能の代わりとして、流体が熱くなると上がり、冷却すると下がるという対流効果を使っても良い。
ポンプ２０６は、電力、機械力、人力又はその他自然力を動力源として駆動する流体ポンプで構成されることで、ポンプで流体２０４を作動させる。このポンプで作動させる機能の代わりとして、流体が熱くなると上がり、冷却すると下がるという対流効果を使っても良い。
【００４０】
制御ユニット１１０は、機電又は固体電子電気回路及び関連ソフトで構成され、その機能は、設備装置１０３と中継均熱器２０２の間にある流体１０４の流動方向及び流量を制御し、及び中継均熱器２０２と均熱装置１０２の間で流体２０４の流動方向及び流量を制御し、又、流体のポンプ１０６を制御してポンプで流体１０４を作動させ、又は、中継ポンプ２０６を制御してポンプで流体２０４を作動させることで、周期性の正方向又は反対方向交換により流体１０４又は流体２０４をポンプで伝送する流動方向を制御するものであり、又、その運転方式は、ポンプで連続的に伝送運転を行い、間歇的に伝送運転を行うことを含む。その制御運転は、下記の通りである。
【００４１】
制御ユニット１１０によりポンプ１０６を制御して、流体１０４の周期性の正方向及び反対方向の伝送を行うことで、中継均熱器２０２、流体伝送パイプ１０５及び設備装置１０３の内部流体１０４へ流れる流動方向の周期交換を行うことができる。又、中継均熱器２０２及び設備装置１０３の流体入口及び出口へ流れる流体１０４に流動方向の周期交換を行うことで、その温度均衡効果がもっと良いので、双方向流動の温度均衡著性機能が構成される。
【００４２】
制御ユニット１１０によりポンプ２０６を制御して、流体２０４へ周期性で正方向及び反対方向の伝送を行うことで、均熱装置１０２、流体伝送パイプ２０５及び中継均熱器２０２の内部流体２０４へ流れる流動方向の周期交換を行うことができる。又、中継均熱器２０２及び均熱装置１０２の流体入口及び出口へ流れる流体２０４に流動方向の周期交換を行えるので、その温度均衡効果がもっと良いので、双方向流動の温度均衡著性機能が構成される。
【００４３】
又、必要によって設備装置１０３に補助温度調整装置１０９、流体分流パイプ１１９、分流制御弁１２０及び分流補助ポンプ１２１を設ける場合、制御ユニット１１０を使って、補助温度調整装置１０９の運転タイミング及び温度設定を制御し、又、分流制御弁１２０及び分流補助ポンプ１２１の運転を制御することで、それぞれの流体分流パイプ１１９の中の流体１０４をポンプで作動させ、又は、ポンプにより伝送を停止、及び流量又はその他関連機能を制御するものである。
【００４４】
制御ユニット１１０は、必要によって機能設定を行うことができる。又、必要によって設けるかどうかを選ぶことができる。
図１で示されるシステムの均熱装置１０２と設備装置１０３の間に用いる均熱運転方式は、均熱装置１０２と設備装置１０３の間に少なくとも一つの流体伝送パイプ１０５及び少なくとも一つのポンプ１０６を設けることで、封鎖回路を形成し、ポンプ１０６で熱伝導が良い流体１０４を伝送することで、単方向で連続又は間歇的に伝送を行い、又は、ポンプの作動により伝送する場合の伝送量を制御することで、均熱装置１０２と設備装置１０３の間に温度均衡を行う機能が構成される方式である。
【００４５】
図３で示されるシステムの均熱装置１０２と設備装置１０３の間に用いる均熱運転方式は、均熱装置１０２と設備装置１０３の間に流体１０４が流れるための流体伝送パイプ１０５及びポンプ１０６を設けて、ポンプ１０６を制御して、連続又は間歇的に流体１０４を作動させ、その作動される流体の流動方向は周期交換の流動方向であることで、均熱装置１０２と設備装置１０３の温度差均衡を行うことができる方式である。
【００４６】
図１及び図３で示されるシステムは、直接熱伝導が良い従来の熱パイプ装置を使って、均熱装置１０２と設備装置１０３の間に設けて、流体伝送パイプ１０５の代わりとして使われ、又は、必要により設けられる流体分流パイプ１１９の代わりとして使うことで、温度均衡を行う機能を構成することを使っても良いのである。
図２で示されるシステムの均熱装置１０２と中継均熱器２０２の間に用いる均熱運転方式は、均熱装置１０２と中継均熱器２０２の間に少なくとも一つの流体２０４が流れるための流体伝送パイプ２０５及び少なくとも一つの中継ポンプ２０６を設けることで、封鎖回路を形成し、中継ポンプ２０６で熱伝導が良い流体２０４を伝送することで、単方向で連続又は間歇的に伝送を行い、又は、ポンプの作動により伝送する流量を調整することで、均熱装置１０２と中継均熱器２０２の間に温度均衡を行う機能が構成される方式である。
【００４７】
図２で示されるシステムの中継均熱器２０２と設備装置１０３の間に用いる均熱運転方式は、中継均熱器２０２と設備装置１０３の間に少なくとも一つの流体伝送パイプ１０５及び少なくとも一つのポンプ１０６を設けることで、封鎖回路を形成し、ポンプ１０６で熱伝導が良い流体１０４を伝送することで、単方向で連続又は間歇的に伝送を行い、又は、ポンプの作動により伝送する流量を調整することで、中継均熱器２０２と設備装置１０３の間に温度均衡を行う機能が構成される方式である。
【００４８】
図４で示されるシステムの均熱装置１０２と中継均熱器２０２の間に用いる均熱運転方式は、少なくとも一つの中継均熱器２０２と少なくとも１セットの均熱装置１０２の間に流体２０４が流れるための流体伝送パイプ２０５及び中継ポンプ２０６を設け、中継ポンプ２０６を制御して、連続又は間歇的に流体２０４を作動させ、作動される流体の流動方向は周期交換の流動方向であることで、中継均熱器２０２と均熱装置１０２の温度差を均衡させることができる方式である。
【００４９】
図４で示されるシステムの中継均熱器２０２と設備装置１０３の間に用いる均熱運転方式は、中継均熱器２０２と設備装置１０３の間に流体１０４が流れるための流体伝送パイプ１０５及びポンプ１０６を設け、ポンプ１０６を制御して、連続又は間歇的に流体１０４を作動させ、作動される流体の流動方向は周期交換の流動方向であることで、中継均熱器２０２と設備装置１０３の温度差を均衡させることができる方式である。
【００５０】
図２及び図４で示されるシステムは、直接熱伝導が良い従来の熱パイプ装置を使って、均熱装置１０２と中継均熱器２０２の間に設けて、流体伝送パイプ２０５の代わりとして使われ、又は、中継均熱器２０２と設備装置１０３の間に設けて、流体伝送パイプ１０５の代わりとして使われ、又は、必要により設けられる流体分流パイプ１１９の代わりとして使うことで、温度均衡を行う機能を構成することを使っても良いのである。
【００５１】
図２及び図４で示され、その関連説明に記載される均熱装置１０２と中継均熱器２０２の間に配置されるポンプ１０６が作動する流体１０４と、中継均熱器２０２と設備装置１０３の間に配置される中継ポンプ２０６が作動する流体２０４との作動タイミングが同時又は同時ではない場合、作動される流体１０４及び流体２０４に周期的に流動方向を変更する双方向流動を行うことができる。又、必要によってポンプ１０６又は中継ポンプ２０６の一つを選んで、単方向で連続又は間歇的に作動を行い、又、別の一つのポンプを使って、周期的に流動方向を変更して、連続又は間歇的に作動を行うものである。
【００５２】
上述によって、図１、図２、図３又は図４で示されるシステム及び関連説明に記載されるポンプ１０６又は中継ポンプ２０６は、下記のようなものを使っても良いのである。
（１）単一のポンプを使って、単方向流動により連続的にポンプで作動させる。
（２）単一のポンプを使って、単方向流動により間歇的にポンプで作動させる。
（３）単一のポンプを使って、単方向流動によりポンプで作動させ、可変流動方向弁を使って、周期変換で流体を作動させる流体方向を制御する。
【００５３】
（４）複数セットの異なる動力源を使うポンプにより、同時に異なる流動方向で作動させ、又は、それぞれ周期変換で流体を作動させる流体方向を制御する。
（５）同一動力源を使って、同時に流動方向が異なるポンプを駆動することで、連続的に異なる流動方向で作動させ、又は、周期変換で流体を作動させる流体方向を制御する。
（６）双方向によりポンプで作動させる機能がある双方向流動ポンプを使って、動力源の回転方向を変更することで、周期変換で流体を作動させる流体方向を制御する。
【００５４】
図１、図２、図３又は図４に示され、関連説明に記載される流体伝送パイプ１０５、流体伝送パイプ２０５又は必要によって選んで設けられた流体分流パイプ１１９は、熱の蓄積性が良好な材料を使って、必要な長さ及び特定の幾何形状の構造で構成することで（例えば、曲がり形、迷宮形、渦形）、自然温度蓄積体１０１に埋めて、均熱装置１０２の代わりとして、又は、均熱装置１０２に協力して、自然温度蓄積体１０１との間に均熱の機能を構成するものである。
【００５５】
前述の図１、図２、図３又は図４に示され、関連説明に記載される設備装置に自然温度蓄積体を使用し、温度均衡を行うシステムは、更に必要によって下記のような補助制御装置を選んで設けることができる。
ろ過装置は、パイプの塞ぎを防止し、流体の清潔を確保できるろ過装置であり、この装置をシステムの中の各装置の流体吸入口又は出口に設け、又は、流体伝送パイプの中に設けることができる。又、ろ過装置は、フィルター又はその他従来のろ過装置で構成されることができる。ろ過装置は、必要によって設けるかどうかを選ぶことができる。
【００５６】
流量調節弁は、人工、機械力、流力又は電磁力を使って流量の大きさを制御するものであり、この装置は必要によって設けるかどうかを選ぶことができる。
前述による図１及び図３に記載される設備装置に自然温度蓄積体を使用し、温度均衡を行うシステムの中の均熱装置１０２、設備装置１０３、流体１０４、流体伝送パイプ１０５、ポンプ１０６、選んで設けられる温度検知装置１０７、ろ過装置１０８、補助温度調整装置１０９、制御ユニット１１０、流体分流パイプ１１９、分流制御弁１２０及び分流補助ポンプ１２１等の各構造の設置数量は、一つ又は一つ以上を設置しても良い。又、一つの項目を２個又は２個以上選ぶ場合、その規格又は材料は必要によって同一又は同一ではないものを選ぶことができる。
【００５７】
前述による図２及び図４に記載される設備装置に自然温度蓄積体を使用し、温度均衡を行うシステムの中の均熱装置１０２、設備装置１０３、流体１０４、流体伝送パイプ１０５、ポンプ１０６、中継均熱器２０２、流体中継ポンプ２０６、選んで設けられる温度検知装置１０７、ろ過装置１０８、補助温度調整装置１０９、制御ユニット１１０、流体分流パイプ１１９、分流制御弁１２０及び分流補助ポンプ１２１等の各構造の設置数量は、一つ又は一つ以上を設置しても良い。又、一つの項目を２個又は２個以上選ぶ場合、その規格又は材料は必要によって同一又は同一ではないものを選ぶことができる。
【００５８】
上述による設備装置に自然温度蓄積体を使用し、温度均衡を行うシステムは、自然温度蓄積体の長年の安定な温度エネルギーを利用するものであり、自然温度蓄積体の中の均熱装置１０２に流れる流体１０４が温度エネルギーのキャリヤーとして使われるので、流体１０４が設備装置１０３に流れる時に、すべて均熱機能が生じるため、従来の加熱又は冷却で温度を調整する方法に比較すると、必要なエネルギーがより少ないのが特徴である。
【図面の簡単な説明】
【００５９】
【図１】本発明の一実施例による設備装置に自然温度蓄積体を使用し、温度均衡を行うシステムを示す模式図である。
【図２】本発明の一実施例による設備装置に自然温度蓄積体を使用し、温度均衡を行うシステムの単方向流動の流体を利用して間接に温度均衡を行うシステムの模式図である。
【図３】本発明の一実施例による設備装置に自然温度蓄積体を使用し、温度均衡を行うシステムの双方向流動の流体を利用して直接に温度均衡を行うシステムの模式図である。
【図４】本発明の一実施例による設備装置に自然温度蓄積体を使用し、温度均衡を行うシステムの双方向流動の流体を利用して間接に温度均衡を行うシステムを示す模式図である。
【符号の説明】
【００６０】
１０１：自然温度蓄積体、１０２：均熱装置、１０３：設備装置、１０４：流体、１０５：流体伝送パイプ、１０６：ポンプ、１０７：温度検知装置、１０８：ろ過装置、１０９：補助温度調整装置、１１０：制御ユニット、１１９：流体分流パイプ、１２０：分流制御弁、１２１：分流補助ポンプ、２０２：中継均熱器、２０４：流体、２０５：流体伝送パイプ
【図１】
0005255232.tif 000002
【図２】
0005255232.tif 000003
【図３】
0005255232.tif 000004
【図４】
0005255232.tif 000005